(57)【要約】【課題】多機能をより小さいスペースで実現することが可能な操作装置の提供。【解決手段】操作装置は、第１タッチ操作面と、前記第１タッチ操作面に対して角度をなす第２タッチ操作面とを有する本体部と、前記第１タッチ操作面に対する操作を検出する第１センサと、前記第２タッチ操作面に対する操作を検出する第２センサと、前記第１タッチ操作面に対する操作を検出したときに第１機能を実現し、前記第２タッチ操作面に対する操作を検出したときに、前記第１機能とは異なる第２機能を実現する処理装置と含む。【選択図】図２
2015228118.tif 000002
【特許請求の範囲】
【請求項１】
第１タッチ操作面と、前記第１タッチ操作面に対して角度をなす第２タッチ操作面とを有する本体部と、
前記第１タッチ操作面に対する操作を検出する第１センサと、
前記第２タッチ操作面に対する操作を検出する第２センサと、
前記第１タッチ操作面に対する操作を検出したときに第１機能を実現し、前記第２タッチ操作面に対する操作を検出したときに、前記第１機能とは異なる第２機能を実現する処理装置と含む、操作装置。
【請求項２】
前記第１機能及び前記第２機能の少なくとも一方は、設定値を調整する機能を含む、請求項１に記載の操作装置。
【請求項３】
前記本体部は、円錐台又は円柱の形態であり、
前記円錐台又は円柱の中心軸が延在する方向における一方の側を上側とし、他方の側を下側と定義したとき、前記第１タッチ操作面は、前記本体部の上面に形成され、前記第２タッチ操作面は、前記本体部の側面に形成される、請求項１又は２に記載の操作装置。
【請求項４】
前記第２タッチ操作面に対する操作は、前記円錐台又は円柱の中心軸まわりの回転方向の操作と、上下方向の操作とを含み、
前記処理装置は、前記回転方向の操作を検出したときと、前記上下方向の操作を検出したときとで、異なる機能を実現する、請求項３に記載の操作装置。
【請求項５】
前記第１タッチ操作面に対する操作は、少なくとも２種類以上の操作を含み、
前記処理装置は、前記操作の種類に応じて異なる機能を実現する、請求項１〜４のうちのいずれか１項に記載の操作装置。
【請求項６】
前記第１センサは、静電センサと、感圧センサ、タクトスイッチ又はひずみセンサとを含み、
前記第２タッチ操作面に対する操作は、前記静電センサにより検出される第１操作と、前記感圧センサ、タクトスイッチ又はひずみセンサにより検出される第２操作とを含み、
前記処理装置は、前記第１操作を検出したときと、前記第２操作を検出したときとで、異なる機能を実現する、請求項１〜５のうちのいずれか１項に記載の操作装置。
【発明の詳細な説明】
【技術分野】
【０００１】
本開示は、操作装置に関する。
【背景技術】
【０００２】
タッチパネル部材の操作面に、接触による感触が異なる指標部を設けた技術が知られている（例えば、特許文献１参照）。
【先行技術文献】
【特許文献】
【０００３】
【特許文献１】特開2012-208762号公報
【発明の概要】
【発明が解決しようとする課題】
【０００４】
しかしながら、上記の特許文献１に記載の構成では、操作者は手触りにより指標部を頼りにして操作面を把握可能となり得るが、指標部に対する操作により何らかの機能が実現されるものでない。
【０００５】
本開示は、多機能をより小さいスペースで実現することが可能な操作装置の提供を目的とする。
【課題を解決するための手段】
【０００６】
本開示の一局面によれば、第１タッチ操作面と、前記第１タッチ操作面に対して角度をなす第２タッチ操作面とを有する本体部と、
前記第１タッチ操作面に対する操作を検出する第１センサと、
前記第２タッチ操作面に対する操作を検出する第２センサと、
前記第１タッチ操作面に対する操作を検出したときに第１機能を実現し、前記第２タッチ操作面に対する操作を検出したときに、前記第１機能とは異なる第２機能を実現する処理装置と含む、操作装置が提供される。
【発明の効果】
【０００７】
本開示によれば、多機能をより小さいスペースで実現することが可能な操作装置が得られる。
【図面の簡単な説明】
【０００８】
【図１】一実施例による車両用操作装置１の構成を概略的に示す図。
【図２】タッチパッド１０の本体部１２０を概略的に示す斜視図。
【図３】静電センサの配置例を概略的に示す斜視図。
【図４】荷重検出部の配置例を概略的に示す断面図。
【図５】本体部１２０に付与されうる荷重の方向の例を模式的に示す図。
【図６】振動発生部１５の配置例を概略的に示す断面図。
【図７】第１タッチ操作面１２１及び第２タッチ操作面１２２に対する各操作に応じて実現される機能の一例の説明図。
【図８】ディスプレイ２０と本体部１２０との配置関係の一例を示す図。
【図９】図８に示す例におけるディスプレイ２０の表示例を概略的に示す上面図。
【発明を実施するための形態】
【０００９】
以下、添付図面を参照しながら各実施例について詳細に説明する。
【００１０】
図１は、一実施例による車両用操作装置１の構成を概略的に示す図である。図２は、タッチパッド１０の本体部１２０を概略的に示す斜視図である。図２には、操作方法の種類の例が点線の矢印で模式的に示されている。図３は、静電センサの配置例を概略的に示す斜視図である。図４は、荷重検出部の配置例を概略的に示す断面図である。図４においては、本体部１２０の断面は、簡略化により中実に図示されているが、実際には、本体部１２０は内部に空間等を有する（図６参照）。図５は、本体部１２０に付与されうる荷重の方向の例を模式的に示す図である。図６は、振動発生部１５の配置例を概略的に示す断面図である。
【００１１】
車両用操作装置１は、タッチパッド１０と、ディスプレイ２０と、ディスプレイ制御部３０とを含む。ディスプレイ制御部３０には、機能実現装置４０が接続される。
【００１２】
タッチパッド１０は、車室内の適切な場所に設けられる。タッチパッド１０は、好ましくは、運転者が操作しやすい位置（運転姿勢を保ちながら手を伸ばして届く位置）に配置される。タッチパッド１０は、例えばコンソールボックス又はその周辺に配置されてもよい。
【００１３】
タッチパッド１０は、図２に示すように、円錐台の形態の本体部１２０を有する。尚、以下では、円錐台の中心軸が延在する方向における一方の側を上側とし、他方の側を下側と定義する。具体的には、図２のＺ１側を、"上側"とし、Ｚ２側を"下側"とする。
【００１４】
本体部１２０は、図２に示すように、上面が第１タッチ操作面１２１を形成し、側面が第２タッチ操作面１２２を形成する。第１タッチ操作面１２１は、本体部１２０の上面の略全体に亘って形成され、第２タッチ操作面１２２は、側面の略全体に亘って形成されよい。尚、本体部１２０の側面は、図２に示すような曲面である必要はなく、複数の平面の組み合わせにより形成されてもよい。即ち、本体部１２０は、上面視で、図２に示すような円形の外形ではなく、多角形の外形を有してもよい。
【００１５】
タッチパッド１０は、図１に示すように、座標検出部１２と、荷重検出部１４と、振動発生部１５と、制御部１６と、メモリ１８とを含む。
【００１６】
座標検出部１２は、例えば静電センサである。座標検出部１２は、図３に模式的に示すように、本体部１２０の上面及び側面のそれぞれの内層（図６のＳ１参照）に複数個設けられてよい。これにより、第１タッチ操作面１２１及び第２タッチ操作面１２２が形成される。各座標検出部１２に対応する電極は、絶縁体を挟んで直線状又は千鳥状に配列されよい。これらの電極に、絶縁体のパネルを挟んで人の指が接近すると、電極と指を極板とするコンデンサが形成され、電極の電荷量（及びそれに伴い静電容量）が変化する。この場合、電極の検出信号（電極に溜められる電荷の変化量を表す信号）が制御部１６に送られる。
【００１７】
荷重検出部１４は、タッチパッド１０の本体部１２０に付与される圧力又は荷重を検出する。荷重検出部１４は、感圧センサ(例えば圧電素子)やタクトスイッチ等であってよい。荷重検出部１４は、図４に示すように、本体部１２０の下面と支持部１３０との間に設けられてよい。図４に示す例では、荷重検出部１４は、下方向の圧力又は荷重Ｆ１（図５参照）を検出する。しかしながら、横方向の圧力又は荷重Ｆ２，Ｆ３（図５参照）を検出する荷重検出部が追加的に又は代替的に設けられてもよい。この場合、荷重検出部は、せん断力を検出するひずみセンサ等であってもよいし、本体部１２０と外周枠１４０との間に設けられる感圧センサやタクトスイッチ等であってもよい。尚、図５に示す例では、横方向の圧力又は荷重Ｆ２，Ｆ３が示されているが、前後方向（上下方向及び横方向の双方に垂直な方向）の圧力又は荷重が追加的に又は代替的に検出されてもよい。横方向の圧力又は荷重Ｆ２，Ｆ３と共に前後方向の圧力又は荷重が検出される場合は、本体部１２０は、タッチパッドのような操作部材のみならず、前後の操作、左右の操作及びこれらの組み合わせ操作が可能なジョイスティックのような操作部材をも形成する。また、下方向の圧力又は荷重Ｆ１が検出される場合は、本体部１２０は、タッチパッドのような操作部材のみならず、押し下げ操作可能なジョイスティックのような操作部材をも形成する。
【００１８】
振動発生部１５は、振動を発生するアクチュエータ及び重り等であってよい。振動発生部１５は、本体部１２０に、発生する振動が伝達される箇所であれば任意の場所に配置されてもよい。例えば、図６に示す例では、振動発生部１５は、本体部１２０の内部の中央部の下方に設けられているが、本体部１２０の内部の周囲の下方に設置されてもよい。また、振動発生部１５は、本体部１２０の内部に複数個分散した位置に設けられてもよい。
【００１９】
制御部１６及びメモリ１８は、例えばマイクロコンピューターにより構成される。尚、制御部１６及びメモリ１８は、タッチパッド１０の本体部１２０の内部に配置されてもよいし、本体部１２０の外部に配置されてもよい。
【００２０】
制御部１６は、座標検出部１２からの出力（検出信号）に基づいて、操作面内の座標位置を表す座標信号、即ち操作者によりタッチ操作された座標位置（操作指の位置）を表す座標信号を生成する。尚、座標検出部１２が静電センサである場合、上述の如く電極と操作指からなるコンデンサには電荷が蓄えられる。各電極における電荷の変化量は操作指の位置に応じて異なるため、各電極からの検出信号に基づいて、操作指の位置を特定することができる。具体的には、制御部１６は、座標検出部１２からの出力が所定の基準値を超えた場合に、座標検出部１２からの出力の最大位置に基づいて座標信号を生成する。所定の基準値は、例えば電極に溜まる電荷の変化量に関連する値である。例えば、制御部１６は、電極に溜まる電荷の変化量（最大の電荷変化量）が基準値を超えた場合に、操作者により操作がされていると判断して、座標信号（例えば電荷の変化量が最大となる電極位置を表す座標信号）を生成し、電極に溜まる電荷の変化量が基準値を超えない場合に、操作者により操作がされていないと判断して、座標信号を生成しない。尚、基準値は、メモリ１８に記憶されてもよい。制御部１６は、生成した座標信号は、ディスプレイ制御部３０に送信する。
【００２１】
制御部１６は、荷重検出部１４からの出力（圧力又は荷重を表す検出信号）に基づいて、決定信号を生成する。例えば、制御部１６は、荷重検出部１４からの出力（圧力）が所定閾値Ｐｎを越えた場合に、操作者による決定操作を検出して、決定信号を生成する。生成した決定信号は、ディスプレイ制御部３０に送信される。尚、図４に示すように、荷重検出部１４としての感圧センサが複数個設けられる場合、制御部１６は、いずれかの感圧センサからの出力が所定閾値Ｐｎを越えた場合に、決定信号を生成してもよい。この場合、感圧センサは、本体部１２０上での押下位置を検出する目的で複数設けられるのではなく、本体部１２０に対する押下操作があったか否かだけを検出する目的で設けられてよい。従って、決定信号は、決定操作を検出したことだけを表す信号であり、押下操作の位置のような他の情報を含まない信号であってよい。制御部１６は、生成した決定信号を、ディスプレイ制御部３０に送信する。
【００２２】
制御部１６は、決定操作を検出した際に、振動発生部１５により座標検出部１２の操作面に振動を発生させる。これにより、操作者は、決定操作が実現されたことを指先から知覚することができる。また、制御部１６は、選択操作により選択項目が変更された際に、振動発生部１５により操作された操作面（第１タッチ操作面１２１又は第２タッチ操作面１２２）に振動を発生させる。これにより、操作者は、選択操作により選択項目が変更されたことを指先から知覚することができる。尚、これら振動は、このような操作者へのフィードバック機能(擬似的なクリック感を与える機能)を果たすためだけのものであるので、非常に短い時間だけ（クリックと同様に瞬時的に）発生されるものであってよい。また、例えば音量や風量、温度等のような設定値を調整する操作の場合は、制御部１６は、クリック感を設定値の変化量に応じた回数発生させてもよい。例えば、設定温度を２２度から２５度に変更する操作の場合は、制御部１６は、クリック感を３回（＝２５−２２）発生させてもよい。
【００２３】
制御部１６は、ディスプレイ制御部３０との間で通信し、各種情報（座標信号や決定信号、メッセージ出力要求等）をディスプレイ制御部３０に送信する。
【００２４】
ディスプレイ２０は、液晶ディスプレイやＨＵＤ（ヘッドアップディスプレイ）のような任意の表示装置であってよい。ディスプレイ２０は、車室内の適切な位置（例えば、インストルメントパネル）に配置される。ディスプレイ２０は、タッチパネルディスプレイであってもよいし、タッチ操作ができないタイプのディスプレイであってもよい。
【００２５】
ディスプレイ制御部３０は、例えばマイクロコンピューターにより構成され、ＥＣＵとして具現化されてもよい。尚、ディスプレイ制御部３０とタッチパッド１０との接続態様は、任意であり、有線、無線またはその組み合わせであってもよいし、直接的な接続や間接的な接続であってもよい。また、ディスプレイ制御部３０の機能の一部又は全部は、タッチパッド１０の制御部１６やディスプレイ２０内の制御部（図示せず）により実現されてもよいし、逆にタッチパッド１０の制御部１６の機能の一部又は全部がディスプレイ制御部３０により実現されてもよい。
【００２６】
ディスプレイ制御部３０は、ディスプレイ２０とタッチパッド１０とを同期させて、タッチパッド１０での操作を補助する。具体的には、ディスプレイ制御部３０は、ディスプレイ２０において操作画面（図７参照）を表示すると共に、タッチパッド１０からの信号（座標信号や決定信号）に基づいて、各種選択項目（図７参照）の選択・決定処理等を行う。各種選択項目（図７参照）の選択・決定処理等は、画面遷移処理や、機能実現装置４０への指令を出力する処理を含む。機能実現装置４０は、例えば、オーディオ装置、ＴＶ，ナビゲーション装置、空調装置等を含んでよい。尚、ディスプレイ制御部３０は、決定信号と座標信号の双方を同時に受信した場合は、決定信号を優先してよい。
【００２７】
選択項目は、仮想的(直接手で操作される類の機械式のボタンでないという意味)な操作ボタンを構成する。選択項目（操作ボタン）は、任意の種類（機能）に関するものであってよい。即ち、タッチパッド１０で操作可能な内容は、任意であってよい。例えば、選択項目は、ナビゲーション装置の各種設定を行うための画面（操作画面）や地図画面（例えば現在地表示画面）をディスプレイ２０上に表示させる（呼び出す）ための選択項目を含んでよい。また、選択項目は、空調装置の各種設定を行うための選択項目や、その画面をディスプレイ２０上に表示させるための選択項目を含んでよい。また、選択項目は、オーディオやＴＶの各種設定（音量調整等）を行うための選択項目や、その画面をディスプレイ２０上に表示させるための選択項目を含んでよい。また、選択項目は、任意のアプリケーションを起動するための選択項目（アイコン、ランチャ、ウィジェット）であってもよい。また、選択項目は、５０音入力画面等のような操作画面における文字入力ボタンであってもよい。
【００２８】
ディスプレイ制御部３０は、タッチパッド１０からの座標信号に基づいて、第１タッチ操作面１２１及び第２タッチ操作面１２２のそれぞれに対する操作を検出する。第１タッチ操作面１２１に対する操作は、好ましくは、複数種類の操作を含み、第２タッチ操作面１２２に対する操作は、好ましくは、複数種類の操作を含む。
【００２９】
ここでは、一例として、第１タッチ操作面１２１に対する操作は、図２に示すように、第１タッチ操作面１２１を前側（操作者から見て向こう側）になぞる操作Ｕと、第１タッチ操作面１２１を後側（操作者から見て手前側）になぞる操作Ｄと、第１タッチ操作面１２１を左側になぞる操作Ｌと、第１タッチ操作面１２１を右側になぞる操作Ｒとを含む。また、第１タッチ操作面１２１に対する操作は、第１タッチ操作面１２１をタップするタップ操作ＥＮＴを含む。また、第２タッチ操作面１２２に対する操作は、図２に示すように、第２タッチ操作面１２２を時計まわりになぞる操作ＤＵと、第２タッチ操作面１２２を反時計まわりになぞる操作ＤＤと、第２タッチ操作面１２２を上側になぞる操作ＤＯと、第２タッチ操作面１２２を下側になぞる操作ＤＩとを含む。その他、第１タッチ操作面１２１に対する操作及び／又は第２タッチ操作面１２２に対する操作は、ダブルタップ操作、各方向のフリック操作、ピンチ操作等を含んでもよい。
【００３０】
ディスプレイ制御部３０は、第１タッチ操作面１２１及び第２タッチ操作面１２２のそれぞれに対する操作を検出したとき、その操作種類に応じて異なる機能を実現する。例えば、ディスプレイ制御部３０は、第１タッチ操作面１２１を左側になぞる操作Ｌを検出したときと、第１タッチ操作面１２１を右側になぞる操作Ｒを検出したときとで、異なる機能を実現する。各操作種類に割り当てられる機能は、任意であり、そのときの操作画面の状態に応じて変化する。
【００３１】
図７は、第１タッチ操作面１２１及び第２タッチ操作面１２２に対する各操作に応じて実現される機能の一例の説明図であり、（Ａ）〜（Ｅ）は、ディスプレイ２０における操作画面の遷移例を示す。図７における（Ａ）〜（Ｅ）の位置関係は、上下方向は、階層が上がる又は下がる方向の画面遷移を表し、横方向は、同一の階層での画面遷移を表す。
【００３２】
図７（Ａ）は、機能選択画面の一例を示す。図７（Ａ）における６つの○は、選択項目を表す。ここでは、選択項目は、一例として、各種設定を行うための画面を呼び出すための選択項目であり、オーディオ、ＴＶ、空調装置のような装置毎に用意される。６つの○内には、選択項目を表す文字等の表示が付与されてよい。図７（Ａ）に示す例では、画面中央に位置するオーディオに係る選択項目が"選択状態"となっている。選択状態となる選択項目は、操作ＤＵ及び操作ＤＤ（図２参照）により変更することができる。例えば、ディスプレイ制御部３０は、第２タッチ操作面１２２を時計まわりになぞる操作ＤＵ（図２参照）を検出すると、図７（Ａ）に示す６つの○からなる円環を時計まわりに回転させ、画面中央に来る選択項目（拡大した○）を"選択状態"にする。
【００３３】
ディスプレイ制御部３０は、図７（Ａ）に示すような機能選択画面において、タップ操作ＥＮＴ又は操作ＤＩを検出又は決定信号を受信すると、図７（Ａ）に示すような機能選択画面から図７（Ｂ）に示すような１階層下の操作画面へと、画面遷移（機能の一例）を実現する。図７（Ｂ）に示す操作画面は、オーディオに係る選択項目が"選択状態"にあるときにタップ操作ＥＮＴ又は操作ＤＩ（図２参照）を検出した場合の操作画面の一例である。図７（Ｂ）に示す操作画面は、出力する音楽等の出所であるソースを切り替えるソース切り替え用の選択項目群表示７０と、楽曲選択用の選択項目群表示７２とを含む。ソースは、例えば、ＦＭ放送、ＡＭ放送、ディスク（ＣＤ，ＭＤ等）、ＳＤカード、Bluetooth（登録商標）、ＵＳＢ等を含んでよい。尚、図７（Ｂ）に示す例では、ソース切り替え用の選択項目群表示７０のうち、ディスクに係る選択項目が"選択状態"となっており、楽曲選択用の選択項目群表示７２のうち、ディスク内の"Song name３"という楽曲名の選択項目が"選択状態"となっている。ここでは、一例として、ソース切り替え用の選択項目群表示７０の各選択項目は、左右方向にスクロール可能であり、楽曲選択用の選択項目群表示７２の各選択項目は、回転方向にスクロール可能である。この場合、例えば、ディスプレイ制御部３０は、操作Ｌ（図２参照）を検出すると、ソース切り替え用の選択項目群表示７０の各選択項目を左方向にスクロールし、"選択状態"の選択項目を変化させる（図７（Ｃ）参照）。また、ディスプレイ制御部３０は、操作Ｒ（図２参照）を検出すると、ソース切り替え用の選択項目群表示７０の各選択項目を右方向にスクロールし、"選択状態"の選択項目を変化させる。また、ディスプレイ制御部３０は、操作ＤＵ（図２参照）を検出すると、楽曲選択用の選択項目群表示７２の各選択項目を時計まわりにスクロールし、"選択状態"の選択項目を変化させる。また、ディスプレイ制御部３０は、操作ＤＤ（図２参照）を検出すると、楽曲選択用の選択項目群表示７２の各選択項目を反時計まわりにスクロールし、"選択状態"の選択項目を変化させる。
【００３４】
ディスプレイ制御部３０は、図７（Ｂ）又は図７（Ｃ）に示すような画面において、操作ＤＯ（図２参照）を検出すると、図７（Ａ）に示すような機能選択画面への画面遷移（機能の一例）を実現する。また、ディスプレイ制御部３０は、図７（Ｂ）に示すような画面において、上述の如く操作Ｌ又は操作Ｒ（図２参照）を検出すると、図７（Ｃ）に示すようなソース切り替え後の選択画面への画面遷移を実現する。このようにして、ユーザは、操作Ｌ又は操作Ｒにより、必要に応じてソースを切り替えて、切り替え後、必要に応じて操作ＤＤ又は操作ＤＵにより、所望の選択項目を探索できる。ディスプレイ制御部３０は、図７（Ｂ）又は図７（Ｃ）に示すような画面において、タップ操作ＥＮＴ（図２参照）を検出又は決定信号を受信すると、その時点で選択状態にある選択項目に係る機能を実現する。例えば、図７（Ｂ）に示す画面の場合、ディスプレイ制御部３０は、"Song name３"という楽曲の再生を開始させる指令を、オーディオ装置（機能実現装置４０の一例）に出力する。
【００３５】
ディスプレイ制御部３０は、図７（Ｃ）に示すような画面において、操作ＤＩ（図２参照）を検出すると、図７（Ｄ）に示すような１階層下の操作画面への画面遷移（機能の一例）を実現する。図７（Ｄ）に示す操作画面は、図７（Ｃ）に示すような操作画面よりも下層での選曲が可能な画面である。具体的には、選択状態にあるソース（本例ではＳＤカード）内でアーティスト、アルバム、コンポーザのような属性別に各楽曲がソートされており、属性から所望の楽曲を選択できる。ディスプレイ制御部３０は、図７（Ｄ）に示すような画面において、操作Ｌ又は操作Ｒ（図２参照）を検出すると、図７（Ｅ）に示すような属性切り替え後の選択画面への画面遷移を実現する。また、ディスプレイ制御部３０は、図７（Ｄ）又は図７（Ｅ）に示すような画面において、操作ＤＵ（図２参照）を検出すると、楽曲選択用の選択項目群表示７２の各選択項目を時計まわりにスクロールし、"選択状態"の選択項目を変化させる。また、ディスプレイ制御部３０は、操作ＤＤ（図２参照）を検出すると、楽曲選択用の選択項目群表示７２の各選択項目を反時計まわりにスクロールし、"選択状態"の選択項目を変化させる。同様に、ディスプレイ制御部３０は、、図７（Ｄ）又は図７（Ｅ）に示すような画面において、タップ操作ＥＮＴ（図２参照）を検出又は決定信号を受信すると、その時点で選択状態にある選択項目に係る機能を実現する。例えば、図７（Ｄ）に示す画面の場合、ディスプレイ制御部３０は、"Album name３"というアルバム内の楽曲の再生を開始させる指令を、オーディオ装置（機能実現装置４０の一例）に出力する。尚、このとき、オーディオ装置は、"Album name３"というアルバム内の最初の楽曲の再生を開始してもよい。また、図７（Ｅ）に示す画面の場合、ディスプレイ制御部３０は、"Artist name３"というアーティストの楽曲の再生を開始させる指令を、オーディオ装置（機能実現装置４０の一例）に出力する。尚、このとき、オーディオ装置は、"Artist name３"というアーティストの楽曲内のソート順で最初の楽曲の再生を開始してもよい。また、ディスプレイ制御部３０は、図７（Ｄ）又は図７（Ｅ）に示すような画面において、操作ＤＩ（図２参照）を検出すると、更に下層の選択画面（図示せず）への画面遷移を実現する。例えば、図７（Ｄ）に示すような画面において、操作ＤI（図２参照）を検出すると、ディスプレイ制御部３０は、"Album name３"というアルバム内の楽曲選択画面を出力してもよい。また、ディスプレイ制御部３０は、図７（Ｄ）又は図７（Ｅ）に示すような画面において、操作ＤＯ（図２参照）を検出すると、図７（Ｃ）に示すような１階層上の操作画面への画面遷移（機能の一例）を実現する。
【００３６】
このように、ユーザは、本体部１２０の第１タッチ操作面１２１及び第２タッチ操作面１２２に対して多様な操作を行うことで、多様な機能を実現させることができる。即ち、本体部１２０は、複数の機械的なスイッチを備える操作装置と同様の機能を実現できる。これにより、多機能をより小さいスペースで実現することが可能となる。
【００３７】
尚、図７に示す例は、あくまで一例であり、他の割り当て方法が採用されてもよい。また、図７に示す例は、オーディオ装置に関するものであるが、空調装置の各種設定（温度や風量等）等にも適用可能である。
【００３８】
図８は、ディスプレイ２０と本体部１２０との配置関係の一例を示す図である。ディスプレイ２０は、本体部１２０から分離して配置されてもよいが、図８に示すように、ディスプレイ２０は、本体部１２０と一体的に配置されてもよい。
【００３９】
図８に示す例では、ディスプレイ２０は、周辺表示部２０ａと、操作装置内表示部２０ｂとを含む。周辺表示部２０ａは、本体部１２０の周辺に設けられる。操作装置内表示部２０ｂは、本体部１２０の上面を介して透視可能な態様で本体部１２０内に設けられる。尚、操作装置内表示部２０ｂは、図６に示すスペースＳ２等に設けられてよい。
【００４０】
図９は、図８に示す例におけるディスプレイ２０の表示例を概略的に示す上面図であり、（Ａ）及び（Ｂ）は、ディスプレイ２０における操作画面の遷移例を示す。
【００４１】
図９（Ａ）は、空調装置の設定画面の一例を示す。図９（Ａ）に示す例では、操作装置内表示部２０ｂには、空調装置の設定画面であることを表す表示"Ａ／Ｃ"が出力されている。周辺表示部２０ａには、風量や温度、モードの設定変更画面を呼び出すため選択項目が４つ○で表示されている。○には、設定変更項目を表す文字（例えば、Ｄ−Ｔｅｍｐ）と、現在の設定状態（例えば、２２）が表示されている。図９（Ａ）に示す例では、本体部１２０の右に位置する運転席側温度設定に係る選択項目が"選択状態"となっている。選択状態となる選択項目は、操作ＤＵ及び操作ＤＤ（図２参照）により変更することができる。例えば、ディスプレイ制御部３０は、第２タッチ操作面１２２を時計まわりになぞる操作ＤＵ（図２参照）を検出すると、図９（Ａ）に示す４つの○からなる円環を時計まわりに回転させ、本体部１２０の右に来る選択項目（拡大した○）を"選択状態"にする。尚、このとき、制御部１６は、振動発生部１５によりクリック感を回転量に応じた数発生させてもよい。例えば、４つの○からなる円環が時計まわりに○１つ分が回転する毎に、制御部１６は、振動発生部１５によりクリック感を１回発生させてよい。尚、この場合、ディスプレイ制御部３０は、円環の回転量を表す情報を制御部１６に送信すればよい。
【００４２】
ディスプレイ制御部３０は、図９（Ａ）に示すような空調装置の設定画面において、操作ＤＩ（図２参照）を検出すると、図９（Ｂ）に示すような１階層下の運転席側温度設定画面への画面遷移を実現する。尚、図９（Ｂ）に示す例では、操作装置内表示部２０ｂには、運転席側温度設定画面であることを表す表示"Ｄ−Ｔｅｍｐ"が出力されている。周辺表示部２０ａには、現在の設定温度を表す表示７４が出力されている。表示７４は、現在の設定温度が２２度であることを表す数字"２２"の表示を含む。ディスプレイ制御部３０は、図９（Ｂ）に示すような画面において、操作ＤＵ（図２参照）を検出すると、表示７４を本体部１２０の中心まわりに時計まわりに移動させつつ、表示７４の数字を増加させる。この際、ディスプレイ制御部３０は、増加後の設定温度を空調装置（機能実現装置４０の一例）に送信する。この際、制御部１６は、振動発生部１５によりクリック感を温度変化量に応じた数発生させてもよい。図９（Ｃ）は、表示７４を本体部１２０の中心まわりに時計まわりに移動させ且つ表示７４の数字を３だけ増加させた後の運転席側温度設定画面を示す。この場合、制御部１６は、振動発生部１５によりクリック感を６回（０．５度刻みで３度分）発生させてもよい。また、ディスプレイ制御部３０は、操作ＤＤ（図２参照）を検出すると、表示７４を本体部１２０の中心まわりに反時計まわりに移動させつつ、表示７４の数字を減少させる。この際、ディスプレイ制御部３０は、減少後の設定温度を空調装置（機能実現装置４０の一例）に送信する。同様に、この際、制御部１６は、振動発生部１５によりクリック感を温度変化量に応じた数発生させてもよい。ディスプレイ制御部３０は、図９（Ｂ）に示すような運転席側温度設定画面において、操作ＤＯ（図２参照）を検出すると、図９（Ａ）に示すような空調装置の設定画面への画面遷移を実現する。
【００４３】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００４４】
例えば、上述した実施例では、本体部１２０は、円錐台の形態であったが、角度をなす少なくとも２つの操作面を有する他の任意の立体形態であってよい。このとき２つの操作面のなす角度は、第１タッチ操作面１２１及び第２タッチ操作面１２２のなす角度のように９０度未満の角度であってもよいし、９０度であってもよい。９０度の場合は、円柱の形態となる。但し、第２タッチ操作面１２２が下方側が外に広がる方向の９０度未満の方が操作性は良好となる。また、２つの操作面は、曲面を介して互いに接続されてもよい。また、本体部１２０は、一部に切欠き、凹部や凸部を有してもよい。
【００４５】
また、上述した実施例では、好ましい実施例として、荷重検出部１４及び振動発生部１５が設けられているが、荷重検出部１４及び振動発生部１５のいずれか一方又は双方は省略されてもよい。例えば、上述の如くディスプレイ制御部３０が第１タッチ操作面１２１に対するタップ操作ＥＮＴを検出可能な場合は、荷重検出部１４は省略されてもよい。
【００４６】
また、上述した実施例では、振動発生部１５の振動によりユーザにフィードバックを付与しているが、その他、音、光、静電気（触感）等によりユーザにフィードバックを付与することも可能である。
【符号の説明】
【００４７】
１    車両用操作装置
１０    タッチパッド
１２    座標検出部
１４    荷重検出部
１５    振動発生部
１６    制御部
１８    メモリ
２０    ディスプレイ
３０    ディスプレイ制御部
１２０    本体部
１２１    第１タッチ操作面
１２２    第２タッチ操作面
【図１】
2015228118.tif 000003
【図２】
2015228118.tif 000004
【図３】
2015228118.tif 000005
【図４】
2015228118.tif 000006
【図５】
2015228118.tif 000007
【図６】
2015228118.tif 000008
【図７】
2015228118.tif 000009
【図８】
2015228118.tif 000010
【図９】
2015228118.tif 000011